【手続補正書】
【提出日】令和3年8月25日(2021.8.25)
【手続補正１】
【補正対象書類名】特許請求の範囲
【補正対象項目名】請求項１９
【補正方法】変更
【補正の内容】
【請求項１９】
外周部に複数のローラを有するロータの周りに送液チューブを巻き掛けて、前記ロータを回転させて前記ローラで前記送液チューブを押し潰して液体を送り出す送液装置本体であって、
前記送液チューブの前記ロータに巻き掛けられる巻き掛け部よりも送液側に設けられた第１ストッパ部と係合して前記第１ストッパ部の位置を規制する第１規制部と、
前記送液チューブの前記巻き掛け部よりも供液側に設けられた第２ストッパ部と係合して前記第２ストッパ部の位置を規制する第２規制部と、
を有する送液装置本体。
【手続補正２】
【補正対象書類名】明細書
【補正対象項目名】００２７
【補正方法】変更
【補正の内容】
【００２７】
本発明の目的を達成するために、本発明の送液装置本体は、外周部に複数のローラを有するロータの周りに送液チューブを巻き掛けて、ロータを回転させてローラで送液チューブを押し潰して液体を送り出す送液装置本体であって、送液チューブのロータに巻き掛けられる巻き掛け部よりも送液側に設けられた第１ストッパ部と係合して第１ストッパ部の位置を規制する第１規制部と、送液チューブの巻き掛け部よりも供液側に設けられた第２ストッパ部と係合して第２ストッパ部の位置を規制する第２規制部と、を有する。
【手続補正３】
【補正対象書類名】明細書
【補正対象項目名】００４２
【補正方法】変更
【補正の内容】
【００４２】
操作部本体５４には、ユニバーサルケーブル６０が備えられる。このユニバーサルケーブル６０の先端側には、コネクタ装置６２が設けられ、このコネクタ装置６２は、内視鏡用プロセッサ装置３２に接続される。内視鏡用プロセッサ装置３２は、光源装置３４と、画像処理装置３５とを備えている。光源装置３４には、コネクタ装置６２が接続されるプロセッサ側コネクタ３４Ａが備えられている。また、画像処理装置３５には、画像処理装置３５にて画像処理された画像を表示するディスプレイ３６が接続されている。この内視鏡システム３０は、内視鏡１２と内視鏡用プロセッサ装置３２との間で、コネクタ装置６２とプロセッサ側コネクタ３４Ａとから構成されるコネクタ部を介して、電力及び光信号等を非接触で伝送する構成を備えている。これにより、光源装置３４からの光は、光ファイバケーブル（不図示）を介して伝送されて、先端部４６の先端面４６Ａに設けられた照明窓（不図示）から照射される。また、上記の観察窓から取り込まれた画像の光信号は、画像処理装置３５によって画像処理されてディスプレイ３６に画像として表示される。
【手続補正４】
【補正対象書類名】明細書
【補正対象項目名】００９０
【補正方法】変更
【補正の内容】
【００９０】
また、送液チューブ５０２の継手１０４が接続された場合、アクチュエータ１６８が突起部１４６に押されることから、上記の端子部からはアクチュエータ１６８が押されたことを示す検知信号が制御回路１５０へ出力される。これにより、流量調整ツマミ８８で調整可能な送液量が、例えば６０ミリリットル／分から１９０ミリリットル／分の流量範囲の範囲内となるようにロータ９８の回転数の範囲が設定される。そして、設定した流量範囲の範囲内で流量調整ツマミ８８の操作位置に対応した送液量（流量範囲に対する比率）に送液量が設定される。
【手続補正５】
【補正対象書類名】明細書
【補正対象項目名】０１１８
【補正方法】変更
【補正の内容】
【０１１８】
送液チューブ８０２とストッパ形成部材８０４、８０６とによってチューブユニット８００を組み立てる場合には、まず、爪部８１０、８１２を指で摘まんで互いに近づけることにより円環部８０８、８０８の直径を拡径させる。そして、送液チューブ８０２を軸部１０８Ａ、１１０Ａを介してストッパ形成部材８０４、８０６の円環部８０８、８０８に挿通する。そして、矢印Ｂで示すチューブ軸方向におけるストッパ部１０８、１１０の位置を位置決めした後、爪部８１０、８１２から指を離す。これにより、円環部８０８、８０８の内径が送液チューブ８０２の直径よりも小さくなるので、ストッパ形成部材８０４、８０６が送液チューブ８０２に一体に連結される。これによって、チューブユニット８００が組み立てられる。
【手続補正６】
【補正対象書類名】明細書
【補正対象項目名】０１２２
【補正方法】変更
【補正の内容】
【０１２２】
なお、実施形態では、識別子として、２つの突起部１４６、１４８の組み合わせによって互いに異なる形状に構成した機械的識別子を例示し、読取装置としてマイクロスイッチ１６６に代表される機械的読取装置を例示したが、他の識別子及び読取装置を適用してもよい。
【手続補正７】
【補正対象書類名】明細書
【補正対象項目名】０１２４
【補正方法】変更
【補正の内容】
【０１２４】
磁気的識別情報を有する識別子は、継手１０４以外に、例えば送液チューブ３０２に取り付けられていてもよい。磁気的識別情報を有する識別子を用いる態様によれば、磁気的識別情報及び読取装置の取付自由度が向上する。例えば、送液チューブ３０２に磁気的識別情報を有する識別子を取り付けた場合には、ロータ収容室８５内に読取装置を取り付けることで送液チューブ３０２の識別子と読取装置とを近接させることができるので好適である。
【手続補正８】
【補正対象書類名】明細書
【補正対象項目名】０１２５
【補正方法】変更
【補正の内容】
【０１２５】
なお、磁気的識別情報を有する識別子としては、送液チューブ３０２〜７０２の種類を示す磁気情報が磁気的に書き込まれた磁気テープを例示することができる。読取装置としては、上記の磁気情報を読み取り可能な磁気ヘッドを有する磁気情報読取装置を例示することができる。
【手続補正９】
【補正対象書類名】明細書
【補正対象項目名】０１２７
【補正方法】変更
【補正の内容】
【０１２７】
電気的識別情報を有する識別子は、継手１０４以外に、例えば送液チューブ３０２に取り付けられていてもよい。電気的識別情報を有する識別子を用いる態様によれば、電気的識別情報及び読取装置の取付自由度が向上する。例えば、送液チューブ３０２に電気的識別情報を有する識別子を取り付けた場合には、ロータ収容室８５内に読取装置を取り付けることで送液チューブ３０２の識別子と読取装置とを近接させることができるので好適である。
【手続補正１０】
【補正対象書類名】明細書
【補正対象項目名】０１２８
【補正方法】変更
【補正の内容】
【０１２８】
なお、電気的識別情報を有する識別子としては、送液チューブ３０２〜７０２の種類を示す電子情報が記憶されたＩＣ（Integrated Circuit）チップを有するＲＦＩＤ（Radio Frequency Identifier）タグを例示することができる。読取装置としては、上記の電子情報を読み取り可能なリーダライタを有する電気情報読取装置を例示することができる。
【手続補正１１】
【補正対象書類名】明細書
【補正対象項目名】０１３０
【補正方法】変更
【補正の内容】
【０１３０】
光学的識別情報を有する識別子は、継手１０４以外に、例えば送液チューブ３０２に取り付けられていてもよい。光学的識別情報を有する識別子を用いる態様によれば、光学的識別情報及び読取装置の取付自由度が向上する。例えば、送液チューブ３０２に光学的識別情報を有する識別子を取り付けた場合には、ロータ収容室８５内に読取装置を取り付けることで送液チューブ３０２の識別子と読取装置とを近接させることができるので好適である。また、ロータ収容室８５は、カバー８４によって遮光されるので、外光の影響を受けることなく光学的識別情報を読み取ることが可能となる。
【手続補正１２】
【補正対象書類名】明細書
【補正対象項目名】０１３１
【補正方法】変更
【補正の内容】
【０１３１】
光学的識別情報を有する識別子としては、送液チューブ３０２〜７０２の種類を示すバーコード、カラーコード又はドットコード等の幾何学的パターンを例示することができ、読取装置としては、上記の幾何学的パターンを読み取り可能なレーザ又はＣＣＤ（Charge Coupled Device）等の撮像素子を有する光学情報読取装置を例示することができる。幾何学的パターンも同様に、送液チューブ３０２〜７０２に取り付け可能である。